(57)【要約】【課題】扉の高さを調整できる機構を備え、必要に応じて、内扉および外扉を左右引き違いに開閉させ、または連動させることができる引き戸装置を提供する。【解決手段】建物の開口部の上縁部に沿って設置される固定レールと、該固定レールに転動自在に支持されたローラーを有する内扉および外扉とからなる引き戸装置であって、前記固定レールが、前記内扉のローラーを支持するための第一レール部と、前記外扉のローラーを支持するための第二レール部とからなり、前記外扉の上縁部に沿って、長手方向に当接体が延設され、該当接体が、前記内扉のローラーと当接してなり、前記当接体に、当接体の上下位置の調節部材が設けられてなり、さらに、前記内扉および外扉と、前記ローラーを接続するローラー支持部に、扉の位置を調節するための調節部材が設けられてなる。【選択図】図１
0003138687.tif 000002
【実用新案登録請求の範囲】
【請求項１】
建物の開口部における鴨居などの上縁部に沿って設置され、当該開口部の敷居などの下縁部に向かって開口した偏平な略Ｃ字断面を呈する固定レールと、
該固定レールに転動自在に支持されたローラーを有する内扉および外扉とからなる引き戸装置であって、
前記固定レールが、前記内扉に設けられた前記ローラーを支持するための第一レール部と、前記外扉に設けられた前記ローラーを支持するための第二レール部とからなる引き戸装置。
【請求項２】
前記外扉の上縁部に沿って、長手方向に略Ｌ字状の当接体が延設され、
該当接体が、前記内扉の上端部に設けられた前記ローラーと当接する請求項１記載の引き戸装置。
【請求項３】
前記当接体に、当接体の上下方向の位置を調節するための調節部材が設けられてなる請求項２記載の引き戸装置。
【請求項４】
前記調節部材が、前記外扉の上縁部に設けられたローラー支持部と、前記ローラー支持部の上縁部より延設された当接体とを接続する部材である請求項３記載の引き戸装置。
【請求項５】
前記内扉および外扉と、前記ローラーを接続するローラー支持部に、扉の位置を調節するための調節部材が設けられてなる請求項１〜４のいずれか１項に記載の引き戸装置。
【考案の詳細な説明】
【技術分野】
【０００１】
本考案は、引き戸装置に関する。さらに詳しくは、建物の開口部における鴨居などの上縁部に沿って設置され、当該開口部の敷居などの下縁部に向かって開口した偏平な略Ｃ字断面を呈する固定レールと、該固定レールに転動自在に支持されたローラーを有する内扉および外扉とからなる引き戸装置であって、前記固定レールが、前記内扉に設けられた前記ローラーを支持するための第一レール部と、前記外扉に設けられた前記ローラーを支持するための第二レール部とからなる引き戸装置に関する。
【背景技術】
【０００２】
従来の引き戸装置としては、引き戸を支える敷居に溝を設けるか、または引き戸の下部に戸車、敷居にはレールを設けていたため、敷居の溝やレールにはごみが溜まり易く、また設置場所が建物の中である場合、たとえば杖をついた老人の歩行を妨げたり、車椅子の通行を妨げることがあった。そこで、最近では吊下げ式の引き戸装置が種々開発されている。
【０００３】
たとえば、特許文献１には、引き戸のためのレール金具を壁面上部に固定した引き戸装置に関する技術が開示されている。引き戸は、レール金具により吊下げられているため、歩行の妨げとなる敷居の溝やレールを排除することができる。
【０００４】
【特許文献１】登録実用新案第３０５８４５７号公報
【考案の開示】
【考案が解決しようとする課題】
【０００５】
しかし、特許文献１に記載された引き戸装置は、レール金具のレールが１本であり、１枚扉にしか対応できないという問題がある。仮に、２枚扉を設けた場合、レールが１本のため、左右に行き違えることができず、扉の左右に戸袋を設ける必要がある。また、その際は、２枚の扉を左右に開ける必要があり、手間もかかるため、必ずしも杖をついた老人や車椅子の使用者にとって利便性が優れているとは言えない。さらに、床をたとえばフローリングから畳に変更した場合や、床の上にカーペットなどの敷物を敷いた場合（もしくはすでに敷かれている敷物を取り払った場合）に実質的な床の高さが変わるときに対応できず、床の高さが高くなった場合は扉の底部が床と接して床面を傷つける、または開閉不可能となる。逆に床の高さが低くなった場合はスペースが生じるために、冷暖房の効率が悪くなる、さらにスペースに足の先などを挟み、家庭内事故の原因となることがある。
【０００６】
本考案はかかる問題を解消するためになされたものであり、扉の高さを調整できる機構を備えることを目的とする。また、必要に応じて、内扉および外扉を左右引き違いに開閉させ、または連動させることができる引き戸装置を提供することを目的とする。
【課題を解決するための手段】
【０００７】
本考案の引き戸装置は、建物の開口部における鴨居などの上縁部に沿って設置され、当該開口部の敷居などの下縁部に向かって開口した偏平な略Ｃ字断面を呈する固定レールと、該固定レールに転動自在に支持された２以上のローラーを有する内扉および外扉とからなる引き戸装置であって、前記固定レールが、前記内扉に設けられた前記ローラーを支持するための第一レール部と、前記外扉に設けられた前記ローラーを支持するための第二レール部とからなることを特徴とする。
【０００８】
また、前記外扉の上縁部に沿って、長手方向に略Ｌ字状の当接体が延設され、該当接体が、前記内扉の上端部に設けられた前記ローラーと当接してなることが好ましい。
【０００９】
さらに、前記当接体に、当接体の上下位置の調節部材が設けられてなることが好ましい。
【００１０】
前記調節部材が、前記外扉の上縁部に設けられたローラー支持部と、前記ローラー支持部の上縁部より延設された当接体とを接続する部材であることが好ましい。
【００１１】
前記内扉および外扉と、前記ローラーを接続するローラー支持部に、扉の位置を調節するための調節部材が設けられてなることが好ましい。
【考案の効果】
【００１２】
本考案によれば、扉の高さを調整できる機構を備え、必要に応じて、内扉および外扉を左右引き違いに開閉させ、または連動させることができる。
【考案を実施するための最良の形態】
【００１３】
以下、添付図面を参照しながら本考案の引き戸装置を詳細に説明する。
【００１４】
図１は、本考案の引き戸装置の一実施形態（実施の形態１）における断面図である。図２は、本考案の引き戸装置の一実施形態（実施の形態２）における断面図である。図３は、本考案の引き戸装置の一実施形態（実施の形態２）における開放途中の状態を説明するための上面図である。図４は、本考案の引き戸装置の一実施形態（実施の形態３）における調節部材と当接体の動作を説明するための断面図であり、図４（ａ）は調節部材を締め、当接体が内扉のローラーと浮いた状態、図４（ｂ）は調節部材を緩め、当接体が内扉のローラーと当接した状態を説明するための断面図である。図５は、本考案の引き戸装置の一実施形態（実施の形態４）における調節部材を説明するための正面図である。
【００１５】
実施の形態１
実施の形態１の引き戸装置１は、図１に示されるように、下方向に開口した偏平な略Ｃ字断面を呈する固定レール２と、該固定レール２にローラー３ａ、ローラー４ａを介して支持された内扉３および外扉４とからなる。なお、固定レール２の開口部は、載架されたローラー３ａ、ローラー４ａが、転動動作中に不意に落下しないよう、内方向に向けてガイド２ａが設けられている。このガイド２ａにより、ローラー３ａ、ローラー４ａの落下が防止され、かつローラー３ａ、ローラー４ａが固定レール２をスムーズに転動することができる。また、固定レール２の材質としては、アルミニウムやステンレスが挙げられるが、本考案において特に限定されることなく、当業者に自明の各種素材を用いることができる。好ましくは軽くて、かつ扉を吊下げるための充分な強度を併せ持つアルミニウムが用いられる。
【００１６】
前記内扉３と外扉４は、それぞれ別のレール（以下、内扉３が載架するレールを第一レール部２ｂ、外扉４が載架するレールを第二レール部２ｃとする）に載架されているため、内扉３と外扉４は引き違えることが可能である。また、前記ローラー３ａおよびローラー４ａの材質としては、樹脂及びゴム材が挙げられるが、本考案において特に限定されることなく、当業者に自明の各種素材を用いることができる。好ましくは前記第一レール部２ｂ、前記第二レール部２ｃにおいて、スムーズに転動する必要があるため、エンジニアリング樹脂が用いられる。
【００１７】
ローラー３ａ、ローラー４ａは、ローラー支持部５を介してそれぞれの扉の上端部と接続されている。ローラー支持部５は、ローラー軸５ａと固着されたローラー軸受け５ｂと、内扉３および外扉４の上端部と接続するための金具５ｃとからなる。ローラー軸５ａとローラー軸受け５ｂとの固着は、リベット接合など、当業者に自明の各種固着方法を選択することができる。また、ローラー軸受け５ｂと金具５ｃの固着は、ボルトとナットの組合せなどによって固着されているが、当業者に自明の各種固着部材、固着方法を選択することができ、たとえばリベット接合であってもよい。ローラー支持部５は、内扉３および外扉４に対して複数個所設けられている（本実施の形態では２箇所の場合を例示）。これにより、内扉３および外扉４の重量を固定レール２に分散することができ、固定レール２やローラー３ａおよびローラー４ａの破損や磨耗を軽減できる。また内扉３および外扉４の開閉時に、がたつくことなく、スムーズに開閉することができる。
【００１８】
さらに、開閉動作時の内扉３と外扉４の衝突を防ぐ目的で、外扉４のローラー支持部の、内扉３のローラー支持部と対抗する面にスペーサー６を設けることが可能である。スペーサー６は、外扉４のローラー支持部において、固着部材（図示せず）によって固着されている。
【００１９】
実施の形態２
実施の形態２の引き戸装置７は、図２に示されるように、外扉４の上縁部に沿って、長手方向に略Ｌ字状の当接体８が延設され、該当接体８が、前記内扉３の上端部に設けられたローラー３ａと当接してなること以外は、実施の形態１の引き戸装置１と同様である。
【００２０】
前記当接体８は、外扉４の上縁部に設置された、略Ｓ字断面を呈するローラー支持部５ｄの上端部より延設されており、ねじなどの固着部材９によって固着されているが、当業者に自明の各種固着部材、固着方法を選択することができ、たとえばリベット接合であってもよい。
【００２１】
図２、図３に示されるように、当接体８は、内扉３の上端部に設けられたローラー３ａと当接する位置に設けられているため、外扉４を転動させると、当接体８を介して当接している内扉３にも外扉４の進行方向と同方向の力のモーメントが生じ、連動させることができる。なお、連動率（外扉の移動距離に対する内扉の移動距離の割合）は、ローラー３ａおよびローラー４ａの大きさを選択すること、当接体８の材質により自由に設定できる。また、当接体８の厚みは、外扉４のローラー４ａが第二レール部２ｃと充分に載架し得るよう選択することが好ましい。つまり、当接体８の厚みが厚すぎる場合、外扉４のローラー４ａと第二レール部２ｃの接触不良が生じるため、安定に転動しないという問題が生じるおそれがある。一方、当接体８の厚みが薄すぎる場合、当接不良が生じ、外扉４と内扉３がスムーズに連動しないことがある。
【００２２】
本考案では、図２に示されるように、当接体８の、内扉３のローラー３ａとの接する面に、当接体８の長手方向に沿ってゴム１０が固着されている。これにより、ローラー３ａと接する際に摩擦抵抗を生じ、連動率を向上させることが出来る。また、ゴム１０によって、連動時のノイズの低減することが出来る。ゴム１０としては、天然ゴム、合成ゴムやエラストマーなどの各種弾性体が挙げられ、これらの素材を選択するに際しては、本考案において特に限定されることなく、当業者に自明の各種素材を用いることができる。
【００２３】
なお、本実施の形態では、外扉４の上端部に略Ｓ字のローラー支持部５ｄが設けられている例について説明したが、ローラー支持部５ｄの形状はこれに限定されず、実施の形態１のローラー支持部に対して、当接体８を別途固着してもよい。さらに、本実施の形態のローラー支持部５ｄに、当接体８が一体成型されていてもなんら問題ない。
【００２４】
実施の形態３
実施の形態３の引き戸装置１１は、図４に示されるように、固着部材による固着を締めた際には当接状態が解除され（図４（ａ）参照）、固着部材による固着を緩めた際には当接体８（ゴム１０）が内扉３のローラー３ａと当接するよう（図４（ｂ）参照）な構成にした以外は、実施の形態２の引き戸装置７と同様である。なお、本実施の形態では、上記構成は実質的に固着ではないため、区別する目的で調節部材１２と称して説明するが、実施の形態２の固着部材９と同じ構成である。また、本実施の形態では、調節部材１２を調節する際の利便性向上の観点から、固定レール１３の高さを実施の形態１または２の固定レール２よりも高いものを採用しているが、本実施の形態の引き戸装置１１はこれに限定されず、実施の形態１の引き戸装置１または実施の形態２の引き戸装置７と同じものを用いてもなんら問題ない。
【００２５】
さらに、調節部材１２は、当接体８の長手方向の中心位置付近に１箇所設けられていても問題なく高さを調節できるが、好ましくは適度な間隔で、使用者の手間のかからない範囲で複数（たとえば当接体８の両端付近に２箇所）設けられていることが好ましい。
【００２６】
これにより、当接体８が内扉３のローラー３ａと当接状態、非当接状態を選択することができ、内扉３と外扉４を別々に転動させることのみならず、連動させることも自由に選択可能である。
【００２７】
実施の形態４
実施の形態４の引き戸装置１４は、図５に示されるように、内扉３および外扉４の位置を調節するための調節部材１５が設けられている。調節部材１５は、ローラー支持部５の正面に設けられた長孔１５ａと、該長孔１５ａを貫通し、挟み込むよう固定する固着部材１５ｂからなる。
【００２８】
これにより、床をたとえばフローリングから畳に変更した場合や、床の上にカーペットなどの敷物を敷いた場合（もしくはすでに敷かれている敷物を取り払った場合）に実質的な床の高さが変わった際に、内扉３および外扉４の高さを床の高さに合わせて調節することができる。
【００２９】
内扉３および外扉４の高さを最適化することにより、床の高さが高くなった場合に内扉３および外扉４の底部が床と接して床面を傷つけたり、開閉不可能となることもなく、逆に床の高さが低くなった場合はスペースが生じ、冷暖房の効率を悪くしたり、生じたスペースに足の先などを挟み、家庭内事故の原因となることもない。
【００３０】
なお、長孔１５ａと、長孔１５ａに対応する固着部材１５ｂは、それぞれ１個所以上あればよいが、内扉３および外扉４の重量を分散するため２箇所以上設けることが好ましい。また、２個所以上に内扉３および外扉４の重量を分散することにより、たとえ１個所の固着部材１５ｂの固着強度が経年変化で低下した場合であっても、内扉３または外扉４が不意に落下することがない。使用者は、経年変化で弱くなった固着部材１５ｂを定期的に締めなおせばよい。
【００３１】
本考案の引き戸装置は、たとえば押入れ等の入口に設けた場合などに有効である。つまり、押入れように、普段は閉鎖されている扉を有するものであって、どのようなものがどの位置に入っているか予めある程度分かる場合、すべての扉を開閉するのではなく、取り出すために必要な箇所（必要な扉）のみを、必要なだけ開放すれば足りる。この場合は扉が連動するときは逆に利便性が悪く、使用者は調節部材を調節し、当接体が実施の形態３の図４（ａ）に示される状態となるよう調節すればよい。
【００３２】
他にも、建具の内部に本考案の引き戸装置を設置した場合においては、通行に必要な分を開放すればよく、それが扉１枚分であれば実施の形態１の図１、または実施の形態３の図４（ａ）の構成を選択し、扉２枚分であれば、実施の形態２の図２、または実施の形態３の図４（ｂ）の構成を選択すればよい。
【００３３】
本実施の形態では、扉が２枚の場合について詳述したが、本考案の構成はこれに限定されるものではなく、扉が３以上の複数枚であってもよい。３以上の複数枚の場合は、すべての扉を連動させることなく、必要な扉のみを開放することによって、たとえば押入れ中の物を効率よく取り出すことができ、さらに利用価値が高まる。もちろん連動させてもよく、扉が３以上の複数枚のときは、さらに開閉時の手間が省けることは明らかである。
【００３４】
以上より、本考案の引き戸装置を使用することにより、扉の高さを調整でき、必要に応じて、内扉および外扉を左右引き違いに開閉させ、または連動させることができる。
【図面の簡単な説明】
【００３５】
【図１】本考案の引き戸の一実施形態（実施の形態１）における断面図である。
【図２】本考案の引き戸の一実施形態（実施の形態２）における断面図である。
【図３】本考案の引き戸の一実施形態（実施の形態２）における開放途中の状態を説明するための上面図である。
【図４】本考案の引き戸の一実施形態（実施の形態３）における調節部材と当接体の動作を説明するための断面図である。
【図５】本考案の引き戸の一実施形態（実施の形態４）における調節部材を説明するための正面図である。
【符号の説明】
【００３６】
１、７、１１、１４  引き戸装置
２、１３  固定レール
２ａ  ガイド
２ｂ  第一レール部
２ｃ  第二レール部
３  内扉
３ａ、４ａ  ローラー
４  外扉
５、５ｄ  ローラー支持部
５ａ  ローラー軸
５ｂ  ローラー軸受け
５ｃ  金具
６  スペーサー
８  当接体
９、１５ｂ  固着部材
１０  ゴム
１２、１５  調節部材
１５ａ  長孔
【図１】
0003138687.tif 000003
【図２】
0003138687.tif 000004
【図３】
0003138687.tif 000005
【図４】
0003138687.tif 000006
【図５】
0003138687.tif 000007